(57)【要約】【課題】ハンカチ以外の部材を使用せず、ハンカチで安定したペットボトル等の小物の収納を実現させ、ペットボトル等の小物の収納の目的がないときにはハンカチとして使用できることを実現させることを課題とする。【解決の手段】４隅の１隅から２ｃｍから５ｃｍの距離の位置に２ｃｍから５ｃｍの長さの切り目を有するハンカチを用い、このハンカチを広げ、ペットボトル等の品物を、切り目に一番近い隅と切り目に一番遠い隅を結ぶ仮想ラインに対し、品物の中心線が垂直かつ、品物の底面が仮想ラインの下方になるよう配置し、品物の底面の下方に位置するハンカチの隅をペットボトル等の品物の上に折り、これに加え、ハンカチの切り目側の隅とその反対側の隅をペットボトル等の品物の上に折り、切り目にハンカチの隅を差し込むことにより、安定して収納できることを実現した。【選択図】図５
2013060687.tif 000002
【特許請求の範囲】
【請求項１】
４隅の１隅から２ｃｍから５ｃｍの距離の位置に２ｃｍから５ｃｍの長さの切り目（１０）を有する１辺が３５ｃｍ以下のハンカチから成り、このハンカチを広げ、ペットボトル等の品物を、切り目に一番近い隅（２０）と切り目に一番遠い隅（２１）を結ぶ仮想ライン（３０）に対し、品物の中心線（３１）が垂直かつ、品物の底面(４０)が仮想ライン（３０）の下方になるよう配置し、品物の底面(４０)の下方に位置するハンカチの隅（２２）をペットボトル等の品物の上に折り、これに加え、ハンカチの隅（２０）と隅（２１）をペットボトル等の品物の上に折り、切り目（１０）にハンカチの隅（２１）を差し込む、ペットボトル等の筒状の品物の包み方をするペットボトル等の小物簡易収納ハンカチ。
【請求項２】
糸の長さ方向において複数の色彩のパイルを有するシェニール糸をヨコ糸として織り込み、織物の表面と裏面に同じ絵柄を描出することを特徴とするシェニール織物ハンカチからなる請求項１記載のペットボトル等の小物簡易収納ハンカチ。
【発明の詳細な説明】
【技術分野】
【０００１】
本発明は、ペットボトル等の小物の収納に関するものである。
【背景技術】
【０００２】
従来の、ペットボトル等の小物の収納品は、例として、ペットボトルケースと呼ばれるように、専用ケースとなっており、ペットボトル内の飲料品の温度を維持する機能、ペットボトルの周りに発生する水滴をケースの外に漏らさない等の機能は研究されて来たが、ペットボトルが不要になった後、ペットボトルケースを持ち運ぶ煩わしさを解消することには、研究が及んでいなかった。
【０００３】
他方、特許文献１に示す登録実用新案にはハンカチの隅に穴をあけ、ハンカチをぶら下げるために、その穴を活用する方法が開示されており、その穴はファッション性を重視した形状が公開されているが、ぶら下げるため以外の使用法には至っていないのが現状であった。また、穴がハンカチをぶら下げる目的のため、穴の位置大きさに関しての研究もなされていなかった。
【先行技術文献】
【特許文献】
【０００４】
【特許文献１】登録実用新案第３１２３１８５号
【発明の開示】
【発明が解決しようとする課題】
【０００５】
ペットボトルケース等の小物収納ケースは、使用時にはその威力を発揮するものの、ペットボトル等が不要となった後、嵩張るばかりで、他に活用することができない。
【０００６】
そこで本発明は、ハンカチ以外の部材を使用せず、ハンカチで安定したペットボトル等の小物の収納を実現させ、ペットボトル等の小物の収納の目的がないときにはハンカチとして使用できることを実現させることを課題とする。
【課題を解決するための手段】
【０００７】
本発明に係る、ペットボトル等の小物簡易収納ハンカチは、４隅の１隅から２ｃｍから５ｃｍの距離の位置に、２ｃｍから５ｃｍの長さの切り目１０を有し、１辺が３５ｃｍ以下からなることを第１の特徴とする。
【０００８】
本発明によれば、切り目１０を２ｃｍから５ｃｍの長さに設定することにより、切り目１０にハンカチの隅２１を差し込んだ場合、摩擦抵抗力により、安定してペットボトルケース等の小物収納としての形状を保持することが可能となった。
【０００９】
なお、１辺の長さを３５ｃｍ以下としているのは、これより大きなサイズの布帛は風呂敷の範疇となり、結ぶことができるためで、このサイズを超えるものは本発明の範囲外とした。
【００１０】
また、本発明に係る第２の特徴は、切り目１０を有するハンカチを広げ、ペットボトル等の品物を、切り目に一番近い隅２０と切り目に一番遠い隅２１を結ぶ仮想ライン３０に対し、品物の中心線３１が垂直かつ、品物の底面４０が仮想ライン３０の下方になるよう配置し、品物の底面４０の下方に位置するハンカチの隅２２をペットボトル等の品物の上に折り、これに加え、ハンカチの隅２０と隅２１をペットボトル等の品物の上に折り、切り目１０にハンカチの隅２１を差し込むペットボトル等の品物の包み方をする点にある。
【００１１】
この包み方をすることにより、ハンカチとしての機能を害することなく、安定してペットボトルケースとしての形状を保持し、未使用時にはハンカチとして使用できることを可能にした。
【００１２】
また、本発明に係る第３の特徴は、糸の長さ方向において複数の色彩のパイルを有するシェニール糸をヨコ糸として織り込み、織物の表面と裏面に同じ絵柄を描出することを特徴とするシェニール織物ハンカチをペットボトル等の小物簡易収納ハンカチとして使用する点にある。
【００１３】
シェニール織物ハンカチをペットボトル等の小物簡易収納ハンカチとして使用することにより、立毛調の織物の持つ摩擦抵抗力を有効に活用し、安定してペットボトル等の小物収納としての形状を保持することができる。
【００１４】
また、このシェニール織物ハンカチをペットボトル等の小物簡易収納ハンカチとして使用することにより、摩擦抵抗力にとどまることなく、吸湿性、デザイン性からも商品の優位性を得ることができる。
【発明の効果】
【００１５】
本発明によると、４隅の１隅から２ｃｍから５ｃｍの距離の位置に２ｃｍから５ｃｍの長さの切り目１０を有する１辺が３５ｃｍ以下のハンカチを用い、このハンカチを広げ、ペットボトル等の品物を、切り目に一番近い隅２０と切り目に一番遠い隅２１を結ぶ仮想ライン３０に対し、品物の中心線３１が垂直かつ、品物の底面４０が仮想ライン３０の下方になるよう配置し、品物の底面４０の下方に位置するハンカチの隅２２をペットボトル等の品物の上に折り、これに加え、ハンカチの隅２０と隅２１をペットボトル等の品物の上に折り、切り目１０にハンカチの隅２１を差し込む、ペットボトル等の品物の包み方をすることにより、ハンカチとしての機能を害することなく、安定してペットボトルケース等の小物を収納する形状を保持し、未使用時にはハンカチとして使用できることを可能にした。
【図面の簡単な説明】
【００１６】
【図１】本発明に係るハンカチの斜視図である。
【図２】本発明に係るシェニール織ハンカチの斜視図である。
【図３】本発明に係るハンカチで包む状態を示す斜視図である。
【図４】本発明に係るハンカチで包む状態を示す斜視図である。
【図５】本発明に係るハンカチで包む状態を示す斜視図である。
【図６】本発明に係るシェニール織ハンカチの斜視図である。
【図７】本発明に係るハンカチで包む状態を示す斜視図である。
【図８】本発明に係るハンカチで包む状態を示す斜視図である。
【図９】本発明に係るハンカチで包む状態を示す斜視図である。
【発明を実施するための形態】
【００１７】
以下、図面に示す実施の形態により、本発明を詳細に説明する。
【００１８】
図１は、４隅の１隅２０から２ｃｍの距離の位置から３ｃｍの長さの切り目１０を有し、切り目１０の周りをオーバーロックした１辺が２５ｃｍのハンカチの構造を示したものである。
【００１９】
図２は、ハンカチがシェニール織物の場合を示したものであり、切り目１０の切り目の方向はタテ糸１１と平行にすると、切り目１０がほつれにくく有用である。
【００２０】
図３は、本発明のハンカチで、ペットボトルを包む手順を示すものであり、まず、図１に示したハンカチを広げ、ペットボトルを、切り目に一番近い隅２０と切り目に一番遠い隅２１を結ぶ仮想ライン３０に対し、ペットボトルの中心線３１が垂直かつ、ペットボトルの底面４０が仮想ライン３０の下方になるよう配置した状態を示すものである。
【００２１】
図４は、図３に引き続き、ペットボトルを包む手順を示すものであり、ペットボトルの底面４０の下方に位置するハンカチの隅２２をペットボトルの上に折った状態を示すものである。
【００２２】
図５は、図４に引き続き、ペットボトルを包む手順を示すものであり、ハンカチの隅２０と隅２１をペットボトル等の品物の上に折り、切り目１０にハンカチの隅２１を差し込むペットボトル等の品物の包み方をしたペットボトル等の小物簡易収納ハンカチを示すものである。
【００２３】
また、図５において、切り目１０を３ｃｍの長さにすることにより、切り目１０から、ハンカチの隅２１が抜けにくくなり、収納としての形状を安定して保持しることができる。
【００２４】
図６は、４隅の１隅２０から２ｃｍの距離の位置から３ｃｍの長さの切り目１０を有し、切り目１０の周りをオーバーロックした１辺が２５ｃｍの、糸の長さ方向において複数の色彩のパイルを有するシェニール糸をヨコ糸として織り込み、織物の表面と裏面に同じ絵柄を描出することを特徴とするシェニール織物ハンカチを示したものである。
【００２５】
図７は、本発明のハンカチで、保冷剤を包む手順を示すものであり、まず、図６に示したハンカチを広げ、保冷剤を、切り目に一番近い隅２０と切り目に一番遠い隅２１を結ぶ仮想ライン３０に対し、保冷剤の中心線３１が垂直かつ、保冷剤の底面４０が仮想ライン３０の下方になるよう配置した状態を示すものである。
【００２６】
図８は、図７に引き続き、保冷剤を包む手順を示すものであり、保冷剤の底面４０の下方に位置するハンカチの隅２２とハンカチの隅２３を保冷剤の上に折った状態を示すものである。
【００２７】
図９は、図８に引き続き、保冷剤を包む手順を示すものであり、ハンカチの隅２０と隅２１を保冷剤の上に折り、切り目１０にハンカチの隅２１を差し込む保冷剤の包み方をしたペットボトル等の小物簡易収納ハンカチを示すものである。
【００２８】
また、図９において、ハンカチとしてシェニール織物のように立毛調の織物を用いることにより、切り目１０から、ハンカチの隅２１が抜けにくくなり、収納としての形状を安定して保持することができる。
【００２９】
なお、本発明のペットボトル等の小物簡易収納ハンカチは、収納する対象が上記のペットボトルと保冷剤に限定されるものでなく、使い捨てカイロ等の品も、本発明の収納する対象である。
【００３０】
また、本発明のペットボトル等の小物簡易収納ハンカチは、切り目１０が、４隅に１箇所の切り目を有する構成に限定するものでなく、１個以上の切り目を構成したハンカチであってもよく、１つの切り目を基準として、包み方が同じであれば良い。
【００３１】
なお、本発明のペットボトル等の小物簡易収納ハンカチの切り目１０は、図で示したオーバーロックでかがった形状に限定されるものでなく、丸い形状のものであっても、三角の形状のものであってもよく、回りを金属・プラスチックで囲ったものであっても良い。
【符号の説明】
【００３２】
１０  切り目
１１  タテ糸
１２  シェニール糸
２０  切り目に一番近いハンカチの隅
２１  切り目に一番遠いいハンカチの隅
２２  ハンカチの隅
２３  ハンカチの隅
３０  ハンカチの隅２０とハンカチの隅２１を結ぶ仮想ライン
３１  品物の中心線
４０  品物の底面
５０  ペットボトル
５１  保冷剤
【図１】
2013060687.tif 000003
【図２】
2013060687.tif 000004
【図３】
2013060687.tif 000005
【図４】
2013060687.tif 000006
【図５】
2013060687.tif 000007
【図６】
2013060687.tif 000008
【図７】
2013060687.tif 000009
【図８】
2013060687.tif 000010
【図９】
2013060687.tif 000011